(57)【特許請求の範囲】
【請求項１】
対向する２つの端面（２、３）と、該端面（２、３）の間をつなぐ周側面（４）と、該周側面（４）に形成されたすくい面（６）と、逃げ面（７）と、該すくい面（６）と該逃げ面（７）との交差稜線部に少なくとも２つの切れ刃（５）とを有する切削インサート（１）であって、
前記周側面（４）は、第２の側面部分（４ａ２）に配置された第１の保持部分（８ａ）と、前記第２の側面部分（４ａ２）と異なる第１の側面部分（４ａ１）に配置された第２の保持部分（８ｂ）とを備え、
該第１の保持部分（８ａ）は、前記切削インサート（１）の周方向に離間配置された第１および第２の当接面（９ａ、９ｂ）と、該第１および第２の当接面（９ａ、９ｂ）の間に形成される凸面部（１０）または平面部（４０）とを有し、
前記第１の当接面（９ａ）は、前記周方向において、前記第１の保持部分（８ａ）の第１端（１１ａ）側から前記凸面部（１０）または平面部（４０）側に向かうにつれ前記切削インサート（１）の内方に凹むように傾斜し、
前記第２の当接面（９ｂ）は、前記周方向において、前記第１の保持部分（８ａ）の第２端（１１ｂ）側から前記凸面部（１０）または平面部（４０）側に向かうにつれ前記切削インサート（１）の内方に凹むように傾斜し、
該第２の保持部分（８ｂ）は、該切削インサート（１）の該端面（２、３）を通過する中心軸線に対して前記第１の保持部分（８ａ）と回転対称に設けられ、前記第１の当接面（９ａ）と回転対称な第３の当接面（９ｃ）と、前記第２の当接面（９ｂ）と回転対称な第４の当接面（９ｄ）と、を有し、
前記第３の当接面（９ｃ）は、前記周方向において、前記第２の保持部分（８ｂ）の該作用切れ刃から遠い第３端（１１ｃ）側から、該第２の保持部分（８ｂ）の該作用切れ刃に近い第４端（１１ｄ）側に向かうにつれ前記切削インサート（１）の内方に凹むように傾斜し、
前記第４端（１１ｄ）には隆起部（１２）が形成され、該隆起部（１２）と前記作用切れ刃との間に凹状の湾曲部（１４）が形成され、該湾曲部（１４）と前記作用切れ刃との間に前記すくい面（６）が配置され、
前記端面（２、３）と対向する方向からみて、各々の前記端面（２、３）の輪郭形状とされる略平行四辺形は、２つの長辺部と２つの短辺部とを有し、
前記周側面（４）は、該２つの長辺部のそれぞれに対応する２つの長側面部分（４ａ）と、該２つの短辺部のそれぞれに対応する２つの短側面部分（４ｂ）とを有し、
前記すくい面（６）は、前記２つの長側面部分（４ａ）のうちの一方である前記第１の側面部分（４ａ１）に形成され、
前記逃げ面（７）の少なくとも一部は、前記２つの短側面部分（４ｂ）の一方（４ｂ１）に形成され、
前記第１の保持部分（８ａ）は、前記２つの長側面部分（４ａ）のうちの他方である前記第２の側面部分（４ａ２）に形成され、
前記第２の保持部分（８ｂ）は、前記第１の側面部分（４ａ１）において、前記すくい面（６）と比べて前記作用切れ刃から離れた箇所に形成され、
前記端面（２、３）に対向する方向からみて、前記第２の側面部分（４ａ２）と垂直方向で切断した前記切削インサート（１）の断面積が該湾曲部（１４）から前記隆起部（１２）にかけて増加する、
切削インサート。
【請求項２】
前記周側面（４）は、前記第１および第２の当接面（９ａ、９ｂ）と、前記凸面部（１０）または平面部（４０）との間に、該第１および第２の当接面（９ａ、９ｂ）と該凸面部（１０）または平面部（４０）とをなめらかに接続する各々の湾曲部が形成される、請求項１に記載の切削インサート。
【請求項３】
前記２つの端面（２、３）を貫通する取り付け穴（１５）を備え、
前記切削インサート（１）の輪郭形状は、前記取り付け穴（１５）の中心軸線に対して１８０°回転対称な形状とされる、請求項１または２に記載の切削インサート。
【請求項４】
前記２つの端面（２、３）を貫通する取り付け穴（１５）を備え、
前記取り付け穴（１５）は、直径ｄが略一定とされる略円筒状部分（１５ａ）を有し、
該取り付け穴（１５）から前記凸面部（１０）または平面部（４０）までの距離Ａは、前記直径ｄに対して１０％以上かつ８０％以下の範囲とされる、請求項１から３のいずれか一項に記載の切削インサート。
【請求項５】
前記長辺部と平行な方向における前記第１の当接面（９ａ）から前記第２の当接面（９ｂ）までの間隔Ｂと、前記長辺部と平行な方向における前記切削インサート（１）の全長Ｌとを比較すると、
該間隔Ｂは該全長Ｌに対して１５％以上かつ５０％以下の範囲とされる、請求項１から４のいずれか一項に記載の切削インサート。
【請求項６】
前記湾曲部（１４）は前記隆起部（１２）になめらかに接続する、請求項１から５のいずれか一項に記載の切削インサート。
【請求項７】
請求項１から６のいずれか一項に記載の切削インサート（１）を着取自在に装着するための切削工具（２０）の工具ボデー（２１）であって、
チップ座（２２）を備え、該チップ座（２２）は、前記２つの端面（２、３）のいずれかが当接可能な主面（２３）および、該主面（２３）から屹立するように延在すると共に前記周側面（４）の一部が当接可能な副面（２４）を有し、
該副面（２４）は、前記切削インサート（１）の前記第１の保持部分（８ａ）が当接可能な壁面部分（２５ａ）を備え、
該壁面部分（２５ａ）は、前記切削インサート（１）の第１の当接面（９ａ）が当接可能な第１の保持面（２６ａ）と、第２の当接面（９ｂ）が当接可能な第２の保持面（２６ｂ）とを有する、工具ボデー。
【請求項８】
前記壁面部分（２５ａ）の２つの端部のうち、前記第１の保持面（２６ａ）側の端部を一端とし、前記第２の保持面（２６ｂ）側の端部を他端とすると、
前記第１の保持面（２６ａ）は、前記壁面部分（２５ａ）の前記一端側から前記他端側に向かうにつれ該壁面部分（２５ａ）が前記主面（２３）側に突出するように傾斜し、
前記第２の保持面（２６ｂ）は、前記壁面部分（２５ａ）の前記他端側から前記一端側に向かうにつれ該壁面部分（２５ａ）が前記主面（２３）側に突出するように傾斜する、請求項７に記載の工具ボデー。
【請求項９】
前記壁面部分（２５ａ）は、前記第１および第２の保持面（２６ａ、２６ｂ）の間に形成される凹面部（２７）または平面部を有する、請求項７または８に記載の工具ボデー。
【請求項１０】
前記チップ座（２２）の前記副面（２４）は、開放部（２８）を有し、
該副面（２４）は、該開放部（２８）により前記壁面部分(２５ａ)と隔てられ、かつ前記切削インサート（１）の第２の保持部分（８ｂ）が当接可能な、第２の壁面部分（２５ｂ）を備え、
該第２の壁面部分（２５ｂ）は、第３の保持面（２６ｃ）を有し、
該第２の壁面部分（２５ｂ）の２つの端部のうち、前記開放部（２８）から遠い側の端部を一端とし、該開放部（２８）に近い側の端部を他端とすると、
前記第３の保持面（２６ｃ）は、前記第２の壁面部分（２５ｂ）の前記他端側から前記一端側に向かうにつれて該第２の壁面部分（２５ｂ）が前記主面（２３）側に突出するように傾斜する、請求項７から９のいずれか一項に記載の工具ボデー。
【請求項１１】
前記チップ座（２２）の前記副面（２４）は、開放部（２８）を有し、
前記壁面部分（２５ａ）は、前記開放部（２８）の方を向く前記第２の保持面（２６ｂ）を有する、請求項７から１０のいずれか一項に記載の工具ボデー。
【請求項１２】
請求項１から６のいずれか一項に記載の切削インサート（１）を備える切削工具。
【発明の詳細な説明】
【技術分野】
【０００１】
本発明は、切削工具に着取自在に装着して金属材料などの切削加工に用いる切削インサート、その切削インサートを装着する工具ボデーおよび切削工具に関する。
【背景技術】
【０００２】
従来の切削インサート、工具ボデーおよび切削工具には、特許文献１に示すようなものがある。すなわち、自動盤とも呼ばれる小型旋盤にも適する切削インサートおよび切削工具であり、切削インサートの輪郭形状は略平行四辺形とされる。平行四辺形の鋭角部分に相当する２つの部分に切れ刃が形成されるため、２つの切れ刃を有する。すなわち、この切削インサートは切削工具に装着し直すことにより、２回の使用が可能である。この切削インサートは、対向する２つの端面と、これらの端面の間をつなぐ周側面とを有し、周側面のうちの２つの面部分は、切削工具に装着するときにチップ座の壁状に立ち上がる面部分と当接する。なお、この切削工具は、チップ座の壁状面の一部をへこませる（逃がす）ことによって、一方の壁状面が間隔をあけた２つの面部分に分割され、他方の壁状面の１つの面部分と合わせて３つの面部分が切削インサートと当接する。切削インサートの周側面の当接部は、基本的に４つの平面部分によって構成され、このうちの２つの平面部分が当接面として作用する。【０００３】
また従来の切削インサート、工具ボデーおよび切削工具には、特許文献２に示すようなものがある。すなわち、切削インサートは、旋削、溝入れ加工、突切り加工またはねじ切り加工に使用され、複数の切れ刃を有する。切削インサートは、対向する２つの端面と、これらの端面の間をつなぐ周側面とを有する。周側面は、４つの当接区域（当接面）を有する。４つの当接区域は、それぞれ２つずつが凹面部分で接続され、２つの当接凹部を形成している。この切削インサートが切削工具のホルダへ装着されるときは、４つの当接区域のうちの少なくとも３つがホルダの反作用区域（保持面）と当接する。
【先行技術文献】
【特許文献】
【０００４】
【特許文献１】特開平１１−１２３６０３号公報
【特許文献２】特表２０１３−５４００５８号公報
【発明の概要】
【発明が解決しようとする課題】
【０００５】
特許文献１の従来の切削インサート、工具ボデーおよび切削工具は、チップ座の壁状面の一部をへこませることで、切削インサートの固定性を高めることに一定の改善効果がある。しかし、切削インサートの周側面が平面状であるため、その平面と平行な方向へずれ動くことを防止できず、まだ固定性が不十分な場合がある。また、平行四辺形の短辺部となる周側面を、チップ座の壁状面と接触させるため、平行四辺形の長辺部の長さが異なる切削インサートを用いる場合、すなわち突切り加工などにおいて突出し長さの異なる切削インサートを用いる場合、切削インサートの全長に合わせてそれぞれ対応する工具ホルダ（バイト）を準備する必要がある。また、切削加工の際に切削インサートの切れ刃部分が大きく破損すると、平行四辺形の短辺部に形成された当接面が損傷を受け、反対側の切れ刃が使用できなくなる虞がある。【０００６】
特許文献２の従来の切削インサート、工具ボデーおよび切削工具は、切削インサートに形成される４つの当接区域のうちの少なくとも３つが切削工具のチップ座と当接することで固定性が高い。しかし、周側面の当接区域が形成される２つの面部分の間の距離が短くなると、２つの凹面部分が接近するため、切削インサートの強度が低下する虞がある。このため当接区域が形成される周側面の２つの面部分の間の距離に制限があり、小型旋盤用の小さな切削工具などへ適用できない問題がある。【０００７】
本発明の切削インサート、工具ボデーおよび切削工具は、これらの課題の少なくとも１つを解決する。
【課題を解決するための手段】
【０００８】
本発明の切削インサートは、対向する２つの端面と、端面の間をつなぐ周側面と、周側面に形成されたすくい面と、逃げ面と、すくい面と該逃げ面との交差稜線部に少なくとも１つの切れ刃とを有する切削インサートであって、周側面は、第２の側面部分に配置された第１の保持部分と、第２の側面部分と異なる第１の側面部分に配置された第２の保持部分とを備える。第１の保持部分は、切削インサートの周方向に離間配置された第１および第２の当接面と、第１および第２の当接面の間に形成される凸面部または平面部とを有する。第１の当接面は、周方向において、第１の保持部分の第１端側から凸面部または平面部側に向かうにつれ切削インサートの内方に凹むように傾斜する。第２の当接面は、周方向において、第１の保持部分の第２端側から凸面部または平面部側に向かうにつれ切削インサートの内方に凹むように傾斜する。第２の保持部分は第３の当接面を有し、周方向において、第１の側面部分と第２の側面部分との間に位置する切れ刃を作用切れ刃とするとき、第３の当接面は、周方向において、第２の保持部分の作用切れ刃から遠い第３端側から、第２の保持部分の作用切れ刃に近い第４端側に向かうにつれ切削インサートの内方に凹むように傾斜する。第４端には隆起部が形成され、隆起部と作用切れ刃との間に凹状の湾曲部が形成され、湾曲部と作用切れ刃との間にすくい面が配置され、切削インサートの断面積が湾曲部から隆起部にかけて増加する。
【０００９】
本発明の工具ボデーは、本発明の切削インサートを着取自在に装着するための切削工具の工具ボデーであって、チップ座を備える。チップ座は、２つの端面のいずれかが当接可能な主面および、主面から屹立するように延在すると共に周側面の一部が当接可能な副面を有する。副面は、切削インサートの第１の保持部分が当接可能な壁面部分を備える。壁面部分は、切削インサートの第１の当接面が当接可能な第１の保持面と、第２の当接面が当接可能な第２の保持面とを有する。
【００１０】
本発明の切削工具は、本発明の切削インサートを備える切削工具である。
【発明の効果】
【００１１】
この発明の切削インサートは、保持部分が２つの当接面の間に形成される凸面部または平面部を有することで、保持部分が形成される周側面の２つの面の間の距離を短くしても、切削インサートの強度が低下しない。このため、切削インサートの欠損などの不具合が発生しない切削インサート、工具ボデーおよび切削工具を提供する。
【図面の簡単な説明】
【００１２】
【図１】図１は第１の実施形態における切削インサートの斜視図である。
【図２】図２は図１に示す切削インサートの左側面図である。
【図３】図３は図２の左側面図の部分拡大図である。
【図４】図４は図２の左側面図の別の部分拡大図である。
【図５】図５は図１に示す切削インサートの平面図である。
【図６】図６は図１に示す切削インサートの正面図である。
【図７】図７は図１に示す切削インサートの右側面図である。
【図８】図８は図１に示す切削インサートを装着した第１の実施形態における切削工具の斜視図である。
【図９】図９は図８に示す切削工具の平面図である。
【図１０】図１０は図８に示す切削工具の左側面図である。
【図１１】図１１は図１０の部分拡大図である。
【図１２】図１２は図８に示す切削工具の正面図である。
【図１３】図１３は図８に示す切削工具から切削インサートおよびクランプ部材を取り外した状態のチップ座周辺の拡大斜視図である。
【図１４】図１４は第２の実施形態における切削インサートの斜視図である。
【図１５】図１５は図１４に示す切削インサートを装着した第２の実施形態における切削工具の平面図である。
【図１６】図１６は図１５の平面図の部分拡大図である。
【図１７】図１７は図１５に示す切削工具から切削インサート、クランプ部材および敷金を取り外した状態のチップ座周辺の拡大斜視図である。
【発明を実施するための形態】
【００１３】
本発明を適用した第１の実施形態の切削インサート、工具ボデーおよび切削工具について図面を参照しながら説明する。図１から図７に示すように、この実施形態における切削インサート１は、対向する２つの端面２、３と、周側面４とを有する。周側面４は、２つの端面２、３の間をつないでいる。図２および図７に示すように、２つの端面２、３の輪郭形状は、略平行四辺形とされる。各端面２、３の平行四辺形は、２つの長辺部と、２つの短辺部とを有する。なお短辺部は、略平行四辺形の鋭角部分の付近で屈曲しているため、各端面２、３の輪郭形状を略六角形とみることもできる。しかし、ここでは屈曲した辺を１辺とみなして、略平行四辺形とみなして説明している。したがって周側面４は、基本的に、長辺部に対応する２つの長側面部分４ａと、短辺部に対応する２つの短側面部分４ｂとからなる。なお、ここで用いられる「長」、「短」という用語は長さまたは大きさにおける相対的な関係を意味するに過ぎず、絶対的な程度を意味しない。２つの端面２、３のそれぞれ中央には、これら端面２、３を貫通する取り付け穴１５が形成される。取り付け穴１５は、切削インサート１を切削工具２０へ装着するときに、締めつけねじやレバーなどのクランプ部材３０と当接する。取り付け穴１５は、クランプ穴１５と呼ぶこともできる。切削インサート１は、取り付け穴１５の中心軸線に対して、１８０°回転対称な形状とされる。図１および図２に示すように、この実施形態における切削インサート１では、取り付け穴１５の一部に直径ｄが略一定とされる略円筒状部分１５ａが形成される。
【００１４】
切削インサート１の周側面４の一部には、すくい面６および逃げ面７が形成される。すくい面６と逃げ面７との交差稜線部に切れ刃５が形成される。すなわち、切れ刃５の少なくとも一部は、周側面４の一部に形成される。なお、切れ刃５の別の一部は、２つの端面２、３と周側面４との交差稜線部の一部にも形成されて構わない。したがって逃げ面７の一部は、２つの端面２、３の一部にも形成されて構わない。この実施形態における切削インサート１は、切れ刃５が少なくとも２つ形成される。すなわち切削工具へ装着し直すことにより、少なくとも２回使用できる経済的な切削インサート１である。２つの切れ刃５は、取り付け穴１５の中心軸線に対して、互いに１８０°回転対称な配置および形状とされる。以降は説明を簡略にするため、１つの切れ刃５を作用切れ刃５ａとする場合についてのみ説明し、他方の切れ刃を作用切れ刃とする場合の説明を実質的に省略する。すなわち、図２において右上側に表記される切れ刃５を作用切れ刃５ａとして使用する場合のみを説明し、左下側に表記される切れ刃５を作用切れ刃として使用する場合の説明は、同様であるため省略する。ここでは、作用切れ刃５ａのすくい面６ａが形成される長側面部分４ａを上側面部分４ａ１と呼ぶ。上側面部分４ａ１は、第１の側面部分４ａ１と呼ばれることもできる。同様に、作用切れ刃５ａの逃げ面７ａが形成される短側面部分４ｂを前側面部分４ｂ１と呼ぶ。上側面部分４ａ１と対向する長側面部分４ａを下側面部分４ａ２と呼び、前側面部分４ｂ１と対向する短側面部分４ｂを後側面部分４ｂ２と呼ぶ。下側面部分４ａ２は、第２の側面部分４ａ２と、前側面部分４ｂ１は、第３の側面部分４ｂ１と、後側面部分４ｂ２は、第４の側面部分４ｂ２と、各々呼ばれることもできる。また、図１において左側の端面２を第１の端面２と呼び、右側の端面３を第２の端面３と呼ぶ。なお説明をわかりやすくするために、上下前後左右などの空間内の方向を示す用語を用いているが、これは空間内の絶対的な位置や方向を示すことを企図しない。例えば、作用切れ刃を入れ替えて、１８０°反対側の、他方の切れ刃を作用切れ刃とするときなど、ここで示す上下前後は空間内の方向を入れ替えることができる。また例えば、この切削インサート１とは逆勝手の切削インサート（図示しない）とするときなど、左右は空間内の方向を入れ替えることができる。
【００１５】
すくい面６には、チップブレーカが形成されている。チップブレーカの形状は、既知の様々な形状が適用される。この実施形態の切削インサート１は、各々の切れ刃５に沿って、各々１つのチップブレーカ溝が形成されている。チップブレーカにより正のすくい角が付与され、切削抵抗を軽減している。
【００１６】
図８から図１３に示すように、第２の端面３は、切削インサート１を切削工具２０へ装着するときに、チップ座２２の主面２３と当接し、周側面４は、チップ座の副面２４と当接する。チップ座の主面２３とは、切削インサート１と最も広く接触する面であり、底面２３と呼ぶこともできる。チップ座の副面２４とは、主面２３から壁状に立ち上がる面であり、側壁面２４と呼ぶこともできる。切削インサート１の第２の端面３は、平面状に形成されるとよい。第２の端面３が平面状に形成されると、対応するチップ座の主面２３も平面状に形成することができるため、高精度に、なおかつ容易にチップ座の主面２３を形成することができる。切削インサート１の第２の端面３が平面状に形成されると、第２の端面３とチップ座の主面２３との接触が広い面積で確実となる。切削インサート１の周側面４は、チップ座の副面２４と当接する保持部分８である第１および第２の保持部分８ａ、８ｂを有する。ここでは下側面部分４ａ２に形成される保持部分８を、第１の保持部分８ａとし、上側面部分４ａ１に形成される保持部分８を、第２の保持部分８ｂとする。したがって、作用切れ刃５ａに加わる切削抵抗の内、主分力を主に受ける保持部分８が、第１の保持部分８ａとなる。すなわち、切削抵抗の主分力は、作用切れ刃５ａに対して、上側面部分４ａ１側から下側面部分４ａ２側に向かって作用するため、下側面部分４ａ２に形成される第１の保持部分８ａが切削抵抗の主分力を主に受けるのである。第２の保持部分８ｂは、第１の保持部分８ａと協働することで、切削インサート１を切削工具２０のチップ座２２へ固定する保持部分８である。第１の保持部分８ａは、切削インサート１の周方向において離間配置された、少なくとも２つの当接面９を有する。ここでは、作用切れ刃５ａに近い側の当接面９を第１の当接面９ａとし、遠い側の当接面９を第２の当接面９ｂとする。図１から図３に示すように、切削インサート１の周方向における２つの当接面９の間には凸面部１０が形成される。
【００１７】
ここでは、第１の保持部分８ａの作用切れ刃５ａ側の端部を第１端１１ａとし、他方の端部を第２端１１ｂとする。第１の当接面９ａは、第１端１１ａ側から凸面部１０側に向かうにつれ切削インサート１の内方に凹むように傾斜する。すなわち第１の当接面９ａは、切削インサート１の周方向において、前側面部分４ｂ１側から後側面部分４ｂ２側に向かうにつれ上側面部分４ａ１側に近づくように傾斜する。第２の当接面９ｂは、第１の保持部分８ａの第２端１１ｂ側から凸面部１０側に向かうにつれ切削インサート１の内方に凹むように傾斜する。すなわち第２の当接面９ｂは、切削インサート１の周方向において、後側面部分４ｂ２側から前側面部分４ｂ１側に向かうにつれ上側面部分４ａ１側に近づくように傾斜する。
【００１８】
第２の保持部分８ｂは、少なくとも１つの当接面９を有する。ここでは第２の保持部分８ｂの当接面９を、第３の当接面９ｃと呼ぶ。また第２の保持部分８ｂの作用切れ刃５ａから遠い側の端部を第３端１１ｃとし、作用切れ刃５ａに近い側の端部を第４端１１ｄとする。第３の当接面９ｃは、第２の保持部分８ｂの第３端１１ｃ側から第４端１１ｄ側に向かうにつれ切削インサート１の内方に凹むように傾斜する。すなわち第３の当接面９ｃは、後側面部分４ｂ２側から前側面部分４ｂ１側に向かうにつれ下側面部分４ａ２側に近づくように傾斜する。前述のとおり、この切削インサート１は、取り付け穴１５の中心軸線に対して、１８０°回転対称な形状とされる。したがって、第２の保持部分８ｂの第３の当接面９ｃは、第１の保持部分８ａの第１の当接面９ａと、取り付け穴１５の中心軸線に対して、互いに１８０°回転対称な配置および形状とされる。なお、第２の保持部分８ｂには、第２の当接面９ｂと取り付け穴１５の中心軸線に対して、互いに１８０°回転対称な関係の第４の当接面９ｄ が形成されている。しかし、第４の当接面９ｄは、後述するように、作用切れ刃５ａに対しては当接面として機能せず、もう１つの切れ刃５が作用するときに当接面として機能する。この関係は、第２の当接面９ｂに関しても成立する。
【００１９】
第２の保持部分８ｂの作用切れ刃５ａ側には、隆起部１２が形成される。ここでは、この隆起部１２を前方隆起部１２と呼ぶ。すなわち、第２の保持部分８ｂの第４端１１ｄは、切削インサート１の外方に隆起した前方隆起部１２に形成される。第２の保持部分８ｂの第４端１１ｄから作用切れ刃５ａ側に向かってなめらかに接続する前方湾曲部１４が形成される。
【００２０】
第２の保持部分８ｂの作用切れ刃５ａから離れた側にも、隆起部１３が形成される。ここでは、この隆起部１３を後方隆起部１３と呼ぶ。すなわち、第２の保持部分８ｂの第３端１１ｃは、切削インサート１の外方に隆起した後方隆起部１３に形成される。
【００２１】
切削インサート１の切れ刃５周辺の材質は、超硬合金、サーメット、セラミックスおよび立方晶窒化ほう素を含む焼結体等の硬質材料又はこれら硬質材料の表面にＰＶＤ又はＣＶＤコーティング膜を被膜したもの、又は単結晶ダイヤモンド或いはダイヤモンドを含む焼結体の中から選ばれる。また切れ刃５以外の切削インサート１の部分の材料も、同様の硬質材料などとされることが好ましい。
【００２２】
図８から図１２に示すように、この実施形態における切削工具２０は、旋盤用のバイトとされる。より詳細には、自動盤とも呼ばれる小型旋盤用の小型バイト、すなわち小さな旋削工具とされる。この実施形態における切削インサート１は、溝入れ加工や突っ切り加工に適する。したがって、この実施形態における切削工具２０は、溝入れ加工や突っ切り加工に適する。しかし、これに限定されない。本発明は、ねじ切り加工用など、様々な用途の切削工具に適用できる。この実施形態における切削工具２０の工具ボデー２１は、シャンクの断面形状が各辺１２ｍｍの正方形とされる。小型旋盤は、高能率な切削加工を可能とするため、多数の切削工具がくし型刃物台などに密集するように装着される。そのため使用される切削工具は、シャンクの断面形状が各辺１０ｍｍから１６ｍｍ程度の小型バイトであることが好ましい。
【００２３】
この実施形態における切削工具２０のクランプ部材３０は、締め付けねじ３０とされる。しかし、クランプ部材３０は、この実施形態に限定されない。レバーロック式など、既知の様々な切削インサート１の装着方法が適用できる。
【００２４】
図１３に示すように、この実施形態の切削工具２０のチップ座２２は、主面（底面）２３および副面（側壁面）２４を有する。前述のとおり、主面２３は、平面状に形成されている。また主面２３には、クランプ部材３０である締めつけねじ３０が螺入されるねじ穴２９が開口する。チップ座２２の副面２４は、基本的に２つの面部分からなる。すなわち、切削インサート１の第１の保持部分８ａと当接する第１の壁面部分２５ａと、第２の保持部分８ｂと当接する第２の壁面部分２５ｂとからなる。第１の壁面部分２５ａと第２の壁面部分２５ｂとは、開放部２８により隔てられている。この開放部２８から切削インサート１が突出することで、作用切れ刃５が工具ボデー２１に対して突き出される。第１および第２の壁面部分２５ａ、２５ｂは、それぞれ第１および第２の保持部分８ａ、８ｂと対応する形状とされる。すなわち、チップ座２２の副面２４は、切削インサート１の第１および第２の保持部分８ａ、８ｂと当接し、切削インサート１を固定できる形状であれば、どのような形状でも構わない。チップ座２２の副面２４は、切れ刃５に加わる切削抵抗を受けても動かないように、下側となる第１の壁面部分２５ａが少なくとも２箇所で切削インサート１と当接するとよい。上側となる第２の壁面部分２５ｂは、少なくとも１箇所が切削インサート１と当接するとよい。そのように、お互いが離れた位置に配置され、なおかつ当接面の向きが異なる３箇所で、切削インサート１とチップ座２２とが当接すれば、切削インサート１がチップ座２２へ強固に確実に固定される。この実施形態における切削工具２０の第１の壁面部分２５ａは、２つの凸曲面部を有し、それら２つの凸曲面部の間につなぎの面２７が形成される。それぞれの凸曲面部に、保持部分８と当接する保持面２６が形成される。ここでは、第１の当接面９ａに対応する保持面２６を第１の保持面２６ａと呼び、第２の当接面９ｂに対応する保持面２６を第２の保持面２６ｂと呼ぶ。第１の壁面部分２５ａの２つの端部のうち、第１の保持面２６ａ側の端部を一端とし、第２の保持面２６ｂ側の端部を他端とすると、第１の保持面２６ａは、第１の壁面部分２５ａの一端側から他端側に向かうにつれ第１の壁面部分２５ａが主面２３側に突出するように傾斜する。また、第２の保持面２６ｂは、壁面部分２５ａの他端側から一端側に向かうにつれ第１の壁面部分２５ａが主面２３側に突出するように傾斜する。なお第２の保持面２６ｂは、作用切れ刃５ａに対応する開放部２８の方を向く。
【００２５】
第１および第２保持面２６ａ、２６ｂ間のつなぎの面２７は、凹面部２７とされる。凹面部２７は、凸面部１０または平面部に対応する形状とされる。すなわちつなぎの面２７は、平面部を含む場合がある。
【００２６】
第２の壁面部分２５ｂは、２つの凸曲面部を有し、それら２つの凸曲面部の間につなぎの面が形成される。ただし、図１１に示すように、第２の保持部分８ｂの第４の当接面９ｄに対応する位置にある一方の凸曲面部は、上方に後退しており、切削インサート１とは接触しないように配置されている。すなわち、第４の当接面９ｄに対応する位置にある一方の凸曲面部は、非保持面２６ｄとして形成される。他方の凸曲面部に、保持部分８と当接する保持面２６が形成される。ここでは、この第３の当接面９ｃに対応する保持面２６を第３の保持面２６ｃと呼ぶ。第２の壁面部分２５ｂの２つの端部のうち、作用切れ刃５ａに対応する開放部２８から遠い側の端部を一端とし、開放部２８に近い側の端部を他端とすると、第３の保持面２６ｃは、第２の壁面部分２５ｂの他端側から一端側に向かうにつれて第２の壁面部分２５ｂが主面２３側に突出するように傾斜する。
【００２７】
つぎに、各構成の作用・効果について説明する。第１の当接面９ａは、第１端１１ａ側から第２端１１ｂ側に向かうにつれ切削インサート１の内方に向かうように傾斜し、第２の当接面９ｂは、第１端１１ａ側から第２端１１ｂ側に向かうにつれ切削インサート１の外方に向かうように傾斜するため、第１の当接面９ａと第２の当接面９ｂとは、向かい合うように形成される。別の表現をすれば、切削インサート１とチップ座２２との２つの当接面をそれぞれ延長する２つの延長面は、互いに交差する。このため切削インサート１は、この２つの当接面での当接だけでもチップ座２２の副面２４にしっかりと固定されてずれ動かない。さらに第２の保持部分８ｂの第３の当接面９ｃは、第２の保持部分８ｂの第３端１１ｃ側から第４端１１ｄ側に向かうにつれ切削インサート１の内方に向かうように傾斜するため、第３の当接面９ｃは、作用切れ刃５ａ側を向いて配置され、すなわち開放部２８側を向いて配置され、なおかつ第１の当接面９ａおよび第２の当接面９ｂのいずれとも異なる方向に配置される。より詳しくは第３の当接面９ｃに当接する第３の保持面２６ｃが、第２の当接面９ｂに当接する第２の保持面２６ａと向かい合うように配置され、かつ、第２の保持面２６ｂに当接する第２の当接面９ｂが、第１の保持面２６ａに当接する第１の当接面９ａと向かい合うように配置される。このため切削インサート１は、チップ座２２の副面２４と第１から第３の当接面９ａ、９ｂ、９ｃの３箇所で当接することによって、しっかりと固定される。すなわち切削インサート１は、第３の当接面９ｃから受ける固定力の方向が第１および第２の当接面９ａ、９ｂに向かい、チップ座２２の副面２４に押し付けられるため、切削インサート１がずれ動くことをさらに効果的に抑制する。ここで第３の当接面９ｃは、作用切れ刃５ａからでき得る限り離れた位置に形成されることが好ましい。第３の当接面９ｃが作用切れ刃５ａから十分に離れて形成されると、切削加工のときに作用切れ刃５ａに切削抵抗が加わり作用切れ刃の５ａの反対側の部分が浮き上がろうとするときに、第３の当接面９ｃによって効果的に押さえることができる。前述のとおり、この実施形態の切削インサート１は、１８０°回転対称な形状とされ、２つの切れ刃５を有する。すなわち第３の当接面９ｃは、第１の当接面９ａと１８０°回転対称な配置および形状とされることで、他方の切れ刃５を使用するときに第１の当接面９ａと入れ替わる。しかし、これに限定されない。第３の当接面９ｃは、第１および第２の当接面と協働して、チップ座２２の副面２４と当接して、切削インサート１を固定できれば、どのような配置および形状とされても構わない。
【００２８】
クランプ部材３０が締め付けねじ３０である場合は、ねじを締めるときの回転方向を、切削抵抗によって切削インサート１が回転しようとする方向と合わせることが好ましい。この実施形態で締め付けねじ３０は、右ねじとされることが好ましい。切削工具２０を、この実施形態とは逆の右勝手とする場合、締め付けねじは左ねじとされることが好ましい。締め付けねじの回転方向をこのように選択すると、締め付けねじで切削インサート１を締め付けた状態から、切削加工中に動かなくできる。
【００２９】
第１の保持部分８ａの凸面部１０は、切削インサート１の強度低下を防止する。ここが凹湾曲面であると、凹面部に応力が集中し、切削インサート１の破壊の起点となる場合がある。したがって凹面部が設けられる場合は、取り付け穴１５との間隔が大きくされる。小型旋盤用の小型の切削工具２０に好適な切削インサート１の場合、上側面部分４ａ１から下側面部分４ａ２までの最大寸法は、１２ｍｍ以下が好ましい。これは前述のとおり、小型旋盤用の切削工具２０のシャンクが、一辺１６ｍｍ以下であるため、これより小さい寸法に抑えることが好ましい。１２ｍｍ以下の寸法の中で取り付け穴１５を設け、さらに第１および第２の保持部分８ａ、８ｂを設けるためには、凸面部１０を設けることが効果的である。ここで凸面部１０とは、後述する第２実施形態の切削インサートに示すように、平面部４０とされる場合を含む。凸面部１０は、少なくとも平面部４０とされることで、応力の集中が発生せず、破壊の起点となることを防止できる。すなわち切削インサート１をチップ座２２へ装着することにより応力が集中する部分が、凹湾曲面とならないようにすることで、過度の応力集中を防止し、応力分布を分散できる。また、凸面部１０または平面部４０を設けると、周側面４と取り付け穴１５との間の切削インサート１の肉厚を確保する効果も得られる。取り付け穴１５の周辺の切削インサート１の肉厚を確保するには、例えば取り付け穴１５と同心の円筒状面に凸面部１０が形成されることができる。しかし凸面部１０は、取り付け穴１５と同心に形成されることに限定されない。この実施形態における切削インサート１は、図２の寸法Ａをできる限り大きくできるように、凸面部１０の曲率半径の中心位置を第１の保持部分８ａ側に寄せている。
【００３０】
さらに第１の保持部分８ａは、全体が滑らかな曲面として形成されるとよい。第１の保持部分８ａの全体がなめらかな曲面として形成されることで、応力集中をさらに防止し、肉厚も適切に確保できることから、切削インサート１が破損することが防止され、小型旋盤に適する小さな切削工具２０に適用できる。その際に、当接面９と凸面部１０または平面部４０との間のつなぎの湾曲部は、取り付け穴１５から離れた位置に、応力集中による破壊の起点にならない程度の凹湾曲面を含むことを排除しない。応力が集中しないように配慮しつつ、第１の保持部分８ａの全体が滑らかな曲面とされるように適宜調整されればよい。
【００３１】
凸面部１０または平面部４０は、チップ座２２の副面２４と当接するように形成されてもよい。凸面部１０または平面部４０と副面２４とがさらに当接すると、接触面積が増えるとともに、当接面の配置方向が多様となり、より多くの方向の力を受け止められるようになる。すなわち第１および第２の当接面９ａ、９ｂに加えて凸面部１０または平面部４０がチップ座２２の副面２４と当接するように形成されると、切削インサート１の固定性がさらに向上する。この実施形態の凸面部１０は１つであるが、これに限定されない。図示しないが、凸面部１０が複数形成されても構わない。複数の凸面部１０がチップ座２２の副面２４と各々当接するように形成されると、切削インサート１の固定性はますます向上する。ただし、当接面９と複数の凸面部１０とのすべてを、チップ座２２の副面２４の対応する各々の保持面２６と当接させるためには、これらの曲面を研削加工するなど、高精度に形成することが重要である。逆に、当接面９を低コストに形成するため粉末加圧成形と焼結のみで形成するような場合は、第１および第２の当接面９ａ、９ｂのみが、第１の保持部分８ａにおける２つの当接面９として、チップ座２２の副面２４と当接するようにされるとよい。
【００３２】
ここでは、取り付け穴１５の周辺の切削インサート１の肉厚を、図２の距離Ａとする。すなわち、下側面部分４ａ２と垂直方向（つまり切削インサート１を第１または第２の端面に対向する方向からみて、略平行四辺形の長辺に直角な方向）における取り付け穴１５の最外周部から切削インサート１の周側面４までの距離を距離Ａとする。取り付け穴１５と凸面部１０との距離Ａは、所要の寸法以上に確保されることが好ましい。凸面部１０は、取り付け穴１５の全周に亘って、所定の肉厚を少なくとも確保するように、ここでは形付けられている。そして、その肉厚を代表する寸法として距離Ａが定められている。取り付け穴１５の略円筒状部分１５ａの直径をｄとすると、距離Ａは直径ｄに対して、１０％以上かつ８０％以下の範囲とされることが好ましい。距離Ａが直径ｄに対して１０％未満になると、肉厚が不足して切削インサート１が破損する懸念がある。距離Ａが直径ｄに対して８０％を超えると、取り付け穴１５の穴径が小さすぎて、締め付けねじが細すぎて破損する懸念がある。締め付けねじは、切削条件や切削インサート１の大きさなどを考慮して適切に選択される。締め付けねじは、小さいものでも直径１．５ｍｍなどとされることが好ましい。大きい方は、小型旋盤用の切削インサート１の場合、直径６ｍｍ程度までが好ましい。したがって直径ｄは、２ｍｍ以上、かつ８ｍｍ以下の範囲が好ましい。
【００３３】
第１および第２の端面２、３の輪郭形状は、それぞれ２つの長辺部および短辺部からなる略平行四辺形とされるため、短辺部側の寸法を小さくすることで、小型旋盤へ装着可能な小型の切削工具２０へ適用できる。一方で、長辺部側の寸法を適宜設定することで、突出し長さの異なる切削工具２０を容易に製造できる。この突出し長さは、切削インサート１および切削工具２０の切削条件である最大切込みに関連する。例えば、切削工具２０が溝入れ加工用の場合、この突出し長さは、加工できる最大溝深さの制約に関連する。この実施形態の切削工具２０は、第１および第２の保持部分８ａ、８ｂの形状を共通にするだけで、１種類の工具ボデー２１に長辺部側の寸法の異なる複数種類の切削インサート１を装着できる。つまり、突出し長さの異なる複数の切削工具２０を提供する際に、工具ボデー２１は１種類で共用することが可能となり、切削インサート１のみ複数種類を提供する。また、切削に使用したときに切削インサート１の切れ刃５の周辺は、大きく破損することがある。この実施形態の切削工具２０は、切れ刃５の周辺が大きく破損した場合でも、第１および第２の保持部分８ａ、８ｂの形状は損傷せず、反対側の切れ刃５を使用することが可能となり、経済的である。すなわち、作用切れ刃５ａと反対側の切削インサート１の切れ刃５周辺の形状は、例え損傷しても、工具ボデー２１へ装着するための構造に影響がない。この実施形態の切削インサート１は、取り付け穴１５の中心軸線に対して１８０°回転対称な形状とされたが、これに限定されない。切削インサート１の形状は、工具ボデー２１に装着できて、切れ刃５を有する形状とされる限り、どのような形状とされても構わない。
【００３４】
図２に示すように、略平行四辺形の長辺部と平行な方向における第１の当接面９ａから第２の当接面９ｂまでの間隔をＢとし、略平行四辺形の長辺部と平行な方向における切削インサート１の全長をＬとすると、間隔Ｂは全長Ｌに対して、１５％以上かつ５０％以下の範囲とされることが好ましい。間隔Ｂが全長Ｌに対して１５％未満とされると、切削インサート１の座り安定性が不足し、支点と作用点との距離が長くなり、切れ刃５に受ける切削抵抗によって切削インサート１がずれ動きやすくなる。または、切削抵抗によって、切削工具２０のチップ座２２に塑性変形が生じる虞がある。間隔Ｂが全長Ｌに対して５０％を超えると、切削工具２０に装着したときの切削インサート１の突出し長さが不足し、切削工具の用途が大幅に制限される。または、切削インサート１の大きさが全体的に大きくなり、小型旋盤などへ適用できなくなる。
なお、本実施形態の切削インサート１は１８０°回転対称な形状であるため、図２では便宜的に、第１の当接面９ａから第２の当接面９ｂまでの間隔Ｂを第３の当接面９ｃから第４の当接面９ｄまでの間隔として示している。
また、本実施形態では、第１〜第４の当接面９ａ〜９ｄがいずれも平面であり、第１の当接面９ａから第２の当接面９ｂまでの間隔Ｂは、第１の当接面９ａにおける第１端１１ａ側の端部と第２の当接面９ｂにおける第２端１１ｂ側の端部までの距離とされる。同様に、第３の当接面９ｃから第４の当接面９ｄまでの間隔Ｂは、第３の当接面９ｃにおける第３端１１ｃ側の端部と第４の当接面９ｄにおける第４端１１ｄ側の端部までの距離とされる。
【００３５】
前方隆起部１２および前方湾曲部１４は、切削加工時に保持部８を切りくずなどの衝突から保護する。また前方隆起部１２および前方湾曲部１４は、好適なチップブレーカを形成するために有効である。さらに前方隆起部１２および前方湾曲部１４は、切削加工中に切れ刃５周辺が大きく破損したときに、第２の保持部分８ｂの形状が損傷しないように作用する。すなわち、前方隆起部１２付近の切削インサート１の高さが高いため、断面積が増加し、切れ刃５周辺の破損の影響が前方隆起部１２を超えて第２の保持部分８ｂまで到達することを防止する。前方湾曲部１４は、作用切れ刃５ａのすくい面６ａに接続する。前方湾曲部１４は、凹湾曲面とされるとよい。前方湾曲部１４は、チップブレーカ形状と一体的に形成されても構わない。また作用切れ刃５ａのすくい面６ａは、前方湾曲部１４と一体的に形成され、境界がわからないように形成されても構わない。
【００３６】
後方隆起部１３は、反対側の切れ刃５が作用切れ刃とされるときに、切れ刃５の下側に位置するため、断面積が増加し、切削インサート１の剛性を高めて切削抵抗を受けても破損しにくくなる効果がある。また後方隆起部１３は、切削加工中に切れ刃５周辺が大きく破損したときに、第１の保持部分８ａの形状が損傷しないように作用する。後方隆起部１３から後方側に向かってなめらかに接続する湾曲部が形成されるとよい。
【００３７】
図８および図９に示すように、この実施形態における切削工具２０は、先端側が細くされている。すなわち切削インサート１は、左側面の延長面上に配置されず、右側面側に大きくずれた位置に配置されている。切削工具２０は、このような形状に形成されると、小型旋盤のサブスピンドル側の切削加工に適する。ここでサブスピンドルとは、主軸が２軸ある旋盤において、メインスピンドルに対するサブスピンドルのことである。一般的な小型旋盤において、サブスピンドルはメインスピンドルと対向するように配置される。すなわちサブスピンドル側の加工は、長手方向（Ｚ方向）がメインスピンドルとは逆向きになる。したがって、先端側が細くなるような切削工具２０でないと、サブスピンドル側で切削加工が可能な領域が狭くなる。この実施形態における切削工具２０は、先端側が細くなるが、保持面２６周辺が出っ張っているため、剛性の低下が抑制される。したがって、先端側が細い切削工具の中で比較すると、この実施形態の切削工具２０は剛性が高く使いやすい。すなわち、この実施形態の切削工具２０は破損に強く、またびびり振動の発生なども抑制される。
【００３８】
前述のとおり、各保持面２６は、対応する各当接面９と当接し、切削インサート１を固定するために協働する。第１および第２の保持面２６ａ、２６ｂが、切削インサート１を介して伝わる切削抵抗を支える。第３の当接面９ｃに当接する第３の保持面２６ｃが、第２の当接面９ｂに当接する第２の保持面２６ａと向かい合うように配置され、かつ、第２の保持面２６ｂに当接する第２の当接面９ｂが、第１の保持面２６ａに当接する第１の当接面９ａと向かい合うように配置されることで、切削インサート１は３箇所で当接することによって、しっかりと固定される。前述のとおり、副面２４の凹面部２７または平面部は、切削インサート１の凸面部１０または平面部４０と当接するように形成されても構わない。凹面部２７または平面部が凸面部１０または平面部４０と当接するように形成されると、接触面の面積が増え、なおかつ当接面の配置方向がさらに多様な方向となるため、固定性がさらに向上する。逆に、凹面部２７または平面部が凸面部１０または平面部４０と接触しないように形成されると、保持面２６または当接面９の形状精度が研削加工ほど高くなくても、確実に所望の３箇所で当接させることができるため、製造コストを抑制しつつ、固定性の高い切削工具２０が得られる。
【００３９】
本発明の切削インサート１は、粉末加圧成形および焼結で製造することができる。さらに、焼結後に研削加工を行って、寸法精度の高い切削インサートとすることもできる。本発明の工具ボデー２１は、切削加工で製造することができる。この実施形態における切削インサート１の第２の端面３の周縁には、面取りが施され、さらに幅の狭い帯状の平面が形成されている。第２の端面３がこのような形状にされると、切削工具２０へ装着する際の切削インサート１の小さな欠けを防止するとともに、刃幅を研削加工で仕上げる場合の研削代を削減し、製造コストを低減できる。なお、第１の端面２の周縁にも面取りが施されていてよい。
【００４０】
次に、本発明を適用した第２の実施形態における切削インサート１、工具ボデー２１および切削工具２０を説明する。説明を簡略にするため、第１の実施形態における切削インサート１、工具ボデー２１および切削工具２０と同じ構成には同じ部材番号を付し、説明を省略する。図１４および図１５に示すように、この実施形態の切削インサート１は、ねじ切り加工に適する。切削インサート１は、対向する２つの端面２、３と、周側面４とを有する。周側面４は、２つの端面２、３の間をつないでいる。図１４に示すように、２つの端面２、３の輪郭形状は、略三角形とされる。２つの端面２、３のそれぞれ中央には、これら端面２、３を貫通する取り付け穴１５が形成される。切削インサート１は、取り付け穴１５の中心軸線に対して、１２０°回転対称な形状とされる。
【００４１】
切削インサート１の第１の端面２の一部には、すくい面６が形成される。切削インサート１の周側面４に逃げ面が形成される。すくい面６と逃げ面との交差稜線に切れ刃５が形成される。すなわち、切れ刃５は、第１の端面２と周側面４との交差稜線の少なくとも一部に形成される。この実施形態における切削インサート１は、ねじ加工のための山型の切れ刃５が３つ形成される。３つの切れ刃５は、互いに１２０°回転対称な配置および形状である。
【００４２】
第２の端面３は、切削インサート１を切削工具２０へ装着するときに、チップ座２２の主面２３と当接し、周側面４は、チップ座の副面２４と当接する。切削インサート１の第２の端面３は、平面状に形成されるとよい。切削インサート１の周側面４は、チップ座の副面２４と当接する保持部分８である第１および第２の保持部分８ａ、８ｂを有する。ここでは、平面視で、作用切れ刃５ａに対して時計回りで最も近い保持部分８を、第２の保持部分８ｂとし、時計回りで２番目の保持部分８を第１の保持部分８ａと呼ぶ。したがって、作用切れ刃５ａに加わる切削抵抗の３分力のうちの背分力を主に受ける保持部分８が、第１の保持部分８ａとなる。第１の保持部分８ａは、少なくとも２つの当接面９を有する。ここでは、第２の保持部分８ｂから切削インサート１の周方向に遠い側の当接面９を第１の当接面９ａとし、近い側の当接面９を第２の当接面９ｂとする。図１４に示すように、２つの当接面９の間には平面部４０が形成される。なお図１４では、平面部４０がわかりやすくなるように、２つの当接面９との間に谷線が現れるように平面部４０を形成したものを図示した。実際には、谷線が現れないように、当接面９と平面部４０とをなめらかに接続する接続部分が形成されることが好ましい。
【００４３】
ここでは、第１の保持部分８ａの作用切れ刃５ａ側の端部を一端とし、他方の端部を他端とする。第１の当接面９ａは、一端側から平面部４０側に向かうにつれ切削インサート１の内方に向かうように傾斜する。第２の当接面９ｂは、第１の保持部分８ａの他端側から平面部４０側に向かうにつれ切削インサート１の内方に向かうように傾斜する。
【００４４】
第２の保持部分８ｂは、少なくとも１つの当接面９を有する。ここでは第２の保持部分８ｂの当接面９を、第３の当接面９ｃと呼ぶ。また第２の保持部分８ｂの作用切れ刃５ａから離れた側の端部を第３端とし、作用切れ刃５ａ側の端部を第４端とする。第３の当接面９ｃは、第２の保持部分８ｂの第３端側から第４端側に向かうにつれ切削インサート１の内方に向かうように傾斜する。前述のとおり、この切削インサート１は、取り付け穴１５の中心軸線に対して、１２０°回転対称な形状である。したがって、第２の保持部分８ｂの第３の当接面９ｃは、第１の保持部分８ａの第１の当接面９ａと、取り付け穴１５の中心軸線に対して、互いに１２０°回転対称な配置および形状である。
【００４５】
図１５および図１６に示すように、この実施形態における切削工具２０は、旋盤用のバイトとされる。この実施形態における切削工具２０は、ねじ切り加工に適する。しかし、これに限定されない。この実施形態における切削工具２０のクランプ部材３０は、締め付けねじ３０とされる。しかし、クランプ部材３０は、この実施形態に限定されない。
【００４６】
図１７に示すように、この実施形態の切削工具２０のチップ座２２は、主面（底面）２３および副面（側壁面）２４を有する。主面２３は、平面状に形成されている。また主面２３には、クランプ部材３０である締めつけねじ３０が螺入されるねじ穴が開口する。チップ座２２の副面２４は、基本的に２つの面部分からなる。すなわち、切削インサート１の第１の保持部分８ａと当接する第１の壁面部分２５ａと、第２の保持部分８ｂと当接する第２の壁面部分２５ｂとからなる。第１の壁面部分２５ａと第２の壁面部分２５ｂとは、開放部２８により隔てられている。第１および第２の壁面部分２５ａ、２５ｂは、それぞれ第１および第２の保持部分８ａ、８ｂと対応する形状とされる。すなわち、チップ座２２の副面２４は、切削インサート１の第１および第２の保持部分８ａ、８ｂと当接し、切削インサート１を固定できる形状であれば、どのような形状でも構わない。チップ座２２の副面２４は、切れ刃５に加わる切削抵抗を受けてもずれ動かないように、切れ刃５に対して反対側となる第１の壁面部分２５ａが少なくとも２箇所で切削インサート１と当接するとよい。第２の壁面部分２５ｂは、少なくとも１箇所が切削インサート１と当接するとよい。そのように３箇所で当接すれば、強固に確実に切削インサート１が固定される。この実施形態における切削工具２０の第１の壁面部分２５ａは、１つの凸曲面部を有する。その凸曲面部に、当接面９と当接する保持面２６が形成される。ここでは、第１の当接面９ａに対応する保持面２６を第１の保持面２６ａと呼び、第２の当接面９ｂに対応する保持面２６を第２の保持面２６ｂと呼ぶ。切削工具２０の第２の壁面部分２５ｂは、１つの凸曲面部を有する。この凸曲面部にも、当接面９と当接する保持面２６が形成される。ここでは、この第３の当接面９ｃに対応する保持面２６を第３の保持面２６ｃと呼ぶ。この実施形態の切削工具２０は、第４の当接面９ｄに対応する第４の保持面２６ｅを有する。すなわち、チップ座２２の副面２４は、切削インサート１の周側面４と、４箇所で当接するように構成されている。しかし、これに限定されない。第４の保持面２６ｅは、非保持面とされても構わない。
【００４７】
本発明の切削インサートおよび切削工具は、以上に説明した実施形態に限定されるものではなく、本発明の要旨を逸脱しない範囲内で種々の変更及び追加が可能である。例えば、旋盤用の切削工具に限定されず、回転切削工具にも適用できる。
【符号の説明】
【００４８】
１  切削インサート
２  第１の端面
３  第２の端面
４  周側面
４ａ  長辺側の周側面部分
４ａ１  上側面部分（第１の側面部分）
４ａ２  下側面部分（第２の側面部分）
４ｂ  短辺側の周側面部分
４ｂ１  前側面部分（第３の側面部分）
４ｂ２  後側面部分（第４の側面部分）
５  切れ刃
５ａ  作用切れ刃
６  すくい面
６ａ  作用切れ刃のすくい面
７  逃げ面
７ａ  作用切れ刃の逃げ面
８  保持部分
８ａ  第１の保持部分
８ｂ  第２の保持部分
９  当接面
９ａ  第１の当接面
９ｂ  第２の当接面
９ｃ  第３の当接面
９ｄ  第４の当接面
１０  凸面部
１１ａ  第１の保持部分の一端（第１端）
１１ｂ  第１の保持部分の他端（第２端）
１１ｃ  第３端
１１ｄ  第４端
１２  前方隆起部
１３  後方隆起部
１４  前方湾曲部
１５  取り付け穴
１５ａ  略円筒状部分
２０  切削工具
２１  工具ボデー
２２  チップ座
２３  チップ座の主面（底面）
２４  チップ座の副面（側壁面）
２５ａ  第１の壁面部分
２５ｂ  第２の壁面部分
２６  保持面
２６ａ  第１の保持面
２６ｂ  第２の保持面
２６ｃ  第３の保持面
２６ｄ  非保持面
２６ｅ  第４の保持面
２７  凹面部
２８  開放部
２９  ねじ穴
３０  クランプ部材
４０  平面部
【図１】
0006528781.tif 000002
【図２】
0006528781.tif 000003
【図３】
0006528781.tif 000004
【図４】
0006528781.tif 000005
【図５】
0006528781.tif 000006
【図６】
0006528781.tif 000007
【図７】
0006528781.tif 000008
【図８】
0006528781.tif 000009
【図９】
0006528781.tif 000010
【図１０】
0006528781.tif 000011
【図１１】
0006528781.tif 000012
【図１２】
0006528781.tif 000013
【図１３】
0006528781.tif 000014
【図１４】
0006528781.tif 000015
【図１５】
0006528781.tif 000016
【図１６】
0006528781.tif 000017
【図１７】
0006528781.tif 000018